(57)【要約】【課題】簡易な構成で、異なる色の異なる表示内容を同一エリアに切替表示することができる表示装置を提供すること。【解決手段】  照明光を出射する光源と、Ｙ軸方向の照明光を透過する偏光板１２と、偏光板１２が光源側に取り付けられ、偏光板１２を透過した偏光光をＸ軸方向の偏光光に変換可能な透過型液晶パネル１３と、Ｘ軸方向の照明光のうちの第１の色の波長帯のみを透過させるカラー偏光板に第１の表示パターンで型抜きされた第１抜き孔３１ａを形成した第１カラー偏光板３１と、Ｙ軸方向の照明光のうちの第２の色の波長のみを透過させるカラー偏光板に第２の表示パターンで型抜きれた第２抜き孔３２ａが形成された第２カラー偏光板３２とを、透明板３０の表裏に取り付け、透過型液晶パネル１３の出力側に平行配置したカラー偏光部１４と、を備える。【選択図】図３
2016139049.tif 000002
【特許請求の範囲】
【請求項１】
照明光を出射する光源と、
前記照明光の光軸に垂直な面内の第１偏光軸方向の前記照明光を透過する偏光板と、
前記偏光板が前記光源側に取り付けられ、前記偏光板を透過した偏光光を前記第１偏光軸方向に垂直な第２偏光軸方向の偏光光に変換可能な透過型液晶パネルと、
前記照明光の光軸に垂直な面内で前記第１偏光軸方向に直交する第２偏光軸方向の照明光のうちの第１の色の波長帯のみを透過させるカラー偏光板に第１の表示パターンで型抜きされた第１抜き孔を形成した第１カラー偏光板と、前記照明光の光軸に垂直な面内で前記第１偏光軸方向の照明光のうちの第２の色の波長のみを透過させるカラー偏光板に第２の表示パターンで型抜きれた第２抜き孔が形成された第２カラー偏光板とを、透明板の表裏に取り付け、前記透過型液晶パネルの出力側に平行配置したカラー偏光部と、
を備えたことを特徴とする表示装置。
【請求項２】
前記カラー偏光部は、前記透過型液晶パネルに対して着脱可能であることを特徴とする請求項１に記載の表示装置。
【請求項３】
前記透過型液晶パネルは、前記照明光の入力側に裏面透明電極が配置され、前記照明光の出力側に表面透明電極が配置され、
前記表面透明電極は、前記カラー偏光部が配置されるカラー表示領域に対して全面一様に形成されるとともに、該カラー表示領域に隣接配置されたモノクロ表示領域に対してドットマトリックス状に形成され、
前記裏面透明電極は、前記カラー表示領域及び前記モノクロ表示領域に共通して全面一様に形成され、
前記透過型液晶パネルの前記モノクロ表示領域の出力側に、前記第１偏光軸方向に直交する第２偏光軸方向の照明光のみを透過させるモノクロ表示偏光板を設けたことを特徴とする請求項１または２に記載の表示装置。
【請求項４】
前記第１の表示パターン及び前記第２の表示パターンは、自動販売機における商品の冷温状態の切替を示すものであることを特徴とする請求項１〜３のいずれか一つに記載の表示装置。
【発明の詳細な説明】
【技術分野】
【０００１】
本発明は、簡易な構成で、異なる色の異なる表示内容を同一エリアに切替表示することができる表示装置に関する。
【背景技術】
【０００２】
従来、飲料商品等の自動販売機における冷温表示は、イメージ色に印刷されたフィルムに「ＨＯＴ」、「ＣＯＬＤ」や「あたたか〜い」、「つめた〜い」などの文字が白抜きで表現されており、昼間は外光の反射を利用し、夜間は背面より蛍光灯の光を用いて認識されるようになっている。また、自動販売機の価格表示は、白地に黒文字で表現されており、基本的に外光によって認識されるようになっている。この冷温表示では、冷温表示を切り替える際に、フィルムの張替作業を行わなくてはならず、作業が煩雑であるとともに、時間がかかることによって自動販売機として機能する時間が減ってしまうことになる。
【０００３】
そこで、自動販売機の冷温表示を、ＴＮ（ねじれネマティック）液晶パネルを用いているものがある。この冷温表示では、ＴＮ液晶パネルをエリア分割し、分割したエリアに冷表示としての青色偏光板と、温表示としての赤色偏光板とを張り付けている。なお、文字は、ＴＮ液晶パネルの電極形状で表現している。
【０００４】
このＴＮ液晶パネルを用いた冷温表示方式では、冷表示と温表示とが別のエリアに表示する必要があるため、冷表示と温表示の表示エリアが小さくなり、表示内容を識別しにくくなる。また、この方式で表示内容を識別しやすくしようとすると、ＴＮ液晶パネルのサイズを大きくする必要があり、コストが高くなる。さらに、冷温表示のデザインの観点からも、冷表示と温表示とのエリアが異なるため、美観が悪いものとなる。
【０００５】
この問題を解決するために、特許文献１では、冷表示のカラー偏光パターンが形成された透明板と、冷表示の偏光方向に直交する偏光方向をもつ温表示のカラー偏光パターンが形成された透明板とを同一エリアに重ね合わせて配置し、ＴＮ液晶パネルの偏光方向の切替によって、冷表示のカラー偏光パターンに対応した冷表示と、温表示のカラー偏光パターンに対応した温表示とを同一エリアで切替表示できるようにしている。
【０００６】
なお、特許文献２には、２つの液晶パネルを同一エリアで重ね合わせして表示色の切替を行うものが記載されている。
【先行技術文献】
【特許文献】
【０００７】
【特許文献１】特開２００６−２６０００３号公報
【特許文献２】特開２００５−２８３６２９号公報
【発明の概要】
【発明が解決しようとする課題】
【０００８】
ところで、特許文献１に記載された冷温表示方式では、２枚の透明板にそれぞれ異なるカラー偏光パターンを形成し、各透明板を同一エリアで重ね合わせ配置している。一般に、透明板にカラー偏光パターンを形成することは難しく、コストも高くなる。
【０００９】
本発明は、上記に鑑みてなされたものであって、簡易な構成で、異なる色の異なる表示内容を同一エリアに切替表示することができる表示装置を提供することを目的とする。
【課題を解決するための手段】
【００１０】
上述した課題を解決し、目的を達成するために、本発明にかかる表示装置は、照明光を出射する光源と、前記照明光の光軸に垂直な面内の第１偏光軸方向の前記照明光を透過する偏光板と、前記偏光板が前記光源側に取り付けられ、前記偏光板を透過した偏光光を前記第１偏光軸方向に垂直な第２偏光軸方向の偏光光に変換可能な透過型液晶パネルと、前記照明光の光軸に垂直な面内で前記第１偏光軸方向に直交する第２偏光軸方向の照明光のうちの第１の色の波長帯のみを透過させるカラー偏光板に第１の表示パターンで型抜きされた第１抜き孔を形成した第１カラー偏光板と、前記照明光の光軸に垂直な面内で前記第１偏光軸方向の照明光のうちの第２の色の波長のみを透過させるカラー偏光板に第２の表示パターンで型抜きれた第２抜き孔が形成された第２カラー偏光板とを、透明板の表裏に取り付け、前記透過型液晶パネルの出力側に平行配置したカラー偏光部と、を備えたことを特徴とする。
【００１１】
また、本発明にかかる表示装置は、上記の発明において、前記カラー偏光部は、前記透過型液晶パネルに対して着脱可能であることを特徴とする。
【００１２】
また、本発明にかかる表示装置は、上記の発明において、前記透過型液晶パネルは、前記照明光の入力側に裏面透明電極が配置され、前記照明光の出力側に表面透明電極が配置され、前記表面透明電極は、前記カラー偏光部が配置されるカラー表示領域に対して全面一様に形成されるとともに、該カラー表示領域に隣接配置されたモノクロ表示領域に対してドットマトリックス状に形成され、前記裏面透明電極は、前記カラー表示領域及び前記モノクロ表示領域に共通して全面一様に形成され、前記透過型液晶パネルの前記モノクロ表示領域の出力側に、前記第１偏光軸方向に直交する第２偏光軸方向の照明光のみを透過させるモノクロ表示偏光板を設けたことを特徴とする。
【００１３】
また、本発明にかかる表示装置は、上記の発明において、前記第１の表示パターン及び前記第２の表示パターンは、自動販売機における商品の冷温状態の切替を示すものであることを特徴とする。
【発明の効果】
【００１４】
本発明によれば、光源側から、順次、前記照明光の光軸に垂直な面内の第１偏光軸方向の前記照明光を透過する偏光板と、前記偏光板が前記光源側に取り付けられ、前記偏光板を透過した偏光光を前記第１偏光軸方向に垂直な第２偏光軸方向の偏光光に変換可能な透過型液晶パネルと、前記照明光の光軸に垂直な面内で第１偏光軸方向に直交する第２偏光軸方向の照明光のうちの第１の色の波長帯のみを透過させるカラー偏光板に第１の表示パターンで型抜きされた第１抜き孔を形成した第１カラー偏光板と、前記照明光の光軸に垂直な面内で前記第１偏光軸方向の照明光のうちの第２の色の波長のみを透過させるカラー偏光板に第２の表示パターンで型抜きれた第２抜き孔が形成された第２カラー偏光板とを、透明板の表裏に取り付け、前記透過型液晶パネルの出力側に平行配置したカラー偏光部と、を設けるようにしているので、簡易な構成で、異なる色の異なる表示内容を同一エリアに切替表示することができる。
【図面の簡単な説明】
【００１５】
【図１】図１は、本発明の実施の形態である表示装置が搭載された自動販売機の全体構成を示す模式図である。
【図２】図２は、図１に示した表示装置の構成を示す図であり、平面図、正面図、右側面図を対応付けて示した図である。
【図３】図３は、図１に示した表示装置の分解斜視図である。
【図４】図４は、カラー表示領域での透過型液晶パネルの偏光方向を９０度回転した偏光回転状態とした場合における表示動作を説明する説明図である。
【図５】図５は、カラー表示領域での透過型液晶パネルの偏光方向を９０度回転せずに全透過状態とした場合における表示動作を説明する説明図である。
【図６】図６は、モノクロ表示領域での表示動作を説明する説明図である。
【図７】図７は、図２に示したカラー偏光部の着脱状態を示す側面図である。
【発明を実施するための形態】
【００１６】
以下、添付図面を参照してこの発明を実施するための形態について説明する。
【００１７】
（全体構成）
図１は、本発明の実施の形態である表示装置が搭載された自動販売機の全体構成を示す模式図である。なお、この実施の形態では、缶入り飲料、ビン入り飲料、ペットボトル入り飲料などの商品を販売する自動販売機を例に説明するが、これに限定されるものではなく、たとえば、カップに飲料を注出するカップ式飲料自動販売機や物品を販売する自動販売機にも適用可能である。
【００１８】
図１に示すように、自動販売機１は、缶入り飲料やペットボトル入り飲料などの商品を冷やした状態または温めた状態で販売するもので、本体キャビネット１ａと外扉１ｂとを備えている。本体キャビネット１ａは、複数の鋼板を組み合わせることにより構成したもので、前面が開口した断熱構造の箱状に構成してある。外扉１ｂは、本体キャビネット１ａの前面開口を閉塞するためのもので、開閉可能となる態様で、本体キャビネット１ａの一側縁部（左側縁部）に支承してある。
【００１９】
自動販売機１は、図１に示すように、外扉１ｂの前面右側中程には、ポップアップハンドル２が設けてある。ポップアップハンドル２は、外扉１ｂを閉塞した状態で施錠するためのものである。自動販売機１は、外扉１ｂを閉塞した状態でポップアップハンドル２を押し込むことにより施錠され、解錠操作するとポップアップハンドル２がポップアップ（突出）することにより、外扉１ｂの開放操作が可能となる。
【００２０】
また、外扉１ｂの前面上部域には、展示室３が設けてある。展示室３は、自動販売機１が販売する商品の商品見本Ｄを展示するためのものである。展示室３は、外扉１ｂの後方側に開閉可能に取り付けられた中扉と外扉１ｂの前面側に嵌め込んだ透明な電照板４とにより画成され、利用者が自動販売機１の前面側から展示室３の内部を視認可能である。
【００２１】
展示室３の内部には、商品を展示するためのステージ５が上下方向に三つ並べて設置してあり、それぞれのステージ５において商品見本Ｄが横並びに展示される。また、外扉１ｂの前面側に嵌め込んだ透明な電照板４には、ステージ５と対応するように、上下方向に配置された表示装置１０及び商品選択ボタン６の対が複数配置される。
【００２２】
なお、展示室３の下方となる外扉１ｂの中程には、硬貨投入口７ａ、紙幣挿入口７ｂ、表示部７ｃ、返却レバー７ｄ、電子マネーリーダライタ７ｅが設けてある。表示部７ｃは、販売中、釣り切れ、準備中、お札中止のほか、投入金額、各種設定時の情報等の各種情報を表示するためのものである。
【００２３】
また、外扉１ｂの下方となる位置には、硬貨返却口７ｆ及び取出口７ｇが設けてある。取出口７ｇは、商品収納ラックから搬出された商品を取り出すための開口である。
【００２４】
（表示装置）
次に、図２及び図３を参照して、表示装置１０の詳細構成について説明する。図２に示すように、表示装置１０は、白色ＬＥＤなどの発光素子１１ａから出射された白色光を、内部にリフレクタを形成する筐体の開口に向けて照明光として出射する光源１１を有する。この光源１１は、開口に拡散板を設けて分散された平行光として出射できることが好ましい。また、光源１１は、レンズ系の光学素子を用いて平行光を生成するようにしてもよい。
【００２５】
図２及び図３に示すように、表示装置１０は、Ｙ軸方向に対して、カラー表示領域Ｅ１を有する領域と、モノクロ表示領域Ｅ２を有する領域とに区分される。カラー表示領域Ｅ１には、たとえば、「ＨＯＴ」と「ＣＯＬＤ」、あるいは「あったか〜い」と「つめた〜い」などの冷温表示を切替表示する領域である。また、モノクロ表示領域Ｅ２は、価格表示する領域である。
【００２６】
表示装置１０は、光源１１側から、偏光板１２、透過型液晶パネル１３が順次、照明光の光軸（Ｚ軸方向）に沿って、光軸に垂直な面（Ｘ−Ｙ平面）に平行に重ね合わせ配置される。さらに、カラー表示領域Ｅ１では、透過型液晶パネル１３の上部にカラー偏光部１４が重ね合わされ、モノクロ表示領域Ｅ２では、透過型液晶パネル１３の上部にモノクロ表示偏光板１５が重ね合わされて配置される。
【００２７】
偏光板１２は、Ｙ軸方向（第１偏光軸方向）の照明光のみを透過させる。透過型液晶パネル１３は、ＴＮ液晶２０を漏れないように、下部液晶用ガラス板２１と上部液晶用ガラス板２２とで平行に挟み込んでいる。下部液晶用ガラス板２１のＴＮ液晶２０側の面には、カラー表示領域Ｅ１及びモノクロ表示領域Ｅ２を含むように、全面一様（ベタ）な裏面透明電極２３が形成されている。また、上部液晶用ガラス板２２のＴＮ液晶２０側の面のうち、カラー表示領域Ｅ１に対応する面には、全面一様（ベタ）なカラー用表面透明電極２４が裏面透明電極２３に対向するように形成され、モノクロ表示領域Ｅ２に対応する面には、複数の透明電極セルがドットマトリックス状に配置されたモノクロ用表面透明電極２５が裏面透明電極２３に対向するように形成されている。
【００２８】
ＴＮ液晶２０は、電圧がかかっているオン状態では、照明光をすべて透過し、電圧がかかっていないオフ状態では、偏光板１２から入射する第１偏光軸方向に偏光された偏光光を９０度回転させ、Ｘ軸方向（第２偏光軸方向）に偏光された偏光光を、カラー偏光部１４あるいはモノクロ表示偏光板１５側に出射する。
【００２９】
カラー偏光部１４は、透明板３０の裏面側（−Ｚ方向側）に第１カラー偏光板３１が接着され、透明板３０の表面側（＋Ｚ方向側）に第２カラー偏光板３２が接着されている。第１カラー偏光板３１は、第２偏光軸方向（Ｘ軸方向）の照明光をすべて透過し、第１偏光軸方向（Ｙ軸方向）の照明光に対しては、温状態に対応する赤色（第１の色）の波長帯の光のみを透過する。そして、第１カラー偏光板３１には、温状態を示す、例えば「ＨＯＴ」の文字列パターンが型抜きされた第１抜き孔３１ａが形成されている。第１抜き孔３１ａは、すべての照明光を透過する。
【００３０】
一方、第２カラー偏光板３２は、第１偏光軸方向（Ｙ軸方向）の照明光をすべて透過し、第１偏光軸方向（Ｘ軸方向）の照明光に対しては、冷状態に対応する青色（第２の色）の波長帯の光のみを透過する。そして、第２カラー偏光板３２には、冷状態を示す、例えば「ＣＯＬＤ」の文字列パターンが型抜きされた第２抜き孔３２ａが形成されている。第２抜き孔３２ａは、すべての照明光を透過する。
【００３１】
また、モノクロ表示偏光板１５は、第２偏光軸方向（Ｘ軸方向）の照明光のみを透過させる。
【００３２】
透過型液晶パネル１３の光源１１側（−Ｚ方向側）には、裏面透明電極２３を覆うように偏光板１２が接着される。また、透過型液晶パネル１３の照明光の出射側（＋Ｚ方向側）では、カラー用表面透明電極２４を覆うように、カラー偏光部１４が接着され、モノクロ用表面透明電極２５を覆うように、モノクロ表示偏光板１５が接着される。
【００３３】
（表示装置の表示動作）
［「ＣＯＬＤ」白抜きの青色冷表示］
図４は、カラー用表面透明電極２４と裏面透明電極２３との間に電圧を印加しない状態（オフ状態）にしてカラー表示領域Ｅ１に「ＣＯＬＤ」の青色冷表示を行う場合の表示動作を示している。図４に示すように、偏光板１２に入射した白色の照明光は、第１偏光軸方向（Ｙ軸方向）に偏光されて透過型液晶パネル１３に入力される。透過型液晶パネル１３には電圧が印加されていないので、入射された白色の偏光光を９０度回転した第２偏光軸方向（Ｘ軸方向）の白色の偏光光としてカラー偏光部１４に出力する。
【００３４】
透過型液晶パネル１３から出力された、第２偏光軸方向の白色の偏光光は、第１カラー偏光板３１に入射する。第１抜き孔３１ａの領域および第１抜き孔３１ａ以外の領域のどちらも、第２偏光軸方向の白色の偏光光をそのまま透過する。
【００３５】
第２カラー偏光板３２では、第２抜き孔３２ａの領域はそのまま第１カラー偏光板３１から出力された光をそのまま透過させ、第２抜き孔３２ａ以外の領域のみ、偏光方向が直交するので、第１カラー偏光板３１から出力された光のうちの青色の波長帯の光のみを透過する。
【００３６】
したがって、カラー表示領域Ｅ１である第２カラー偏光板３２には、青色に「ＣＯＬＤ」の白抜き文字が入ったカラー画像が表示出力される。
【００３７】
［「ＨＯＴ」白抜きの赤色温表示］
図５は、カラー用表面透明電極２４と裏面透明電極２３との間に電圧を印加した状態（オン状態）にしてカラー表示領域Ｅ１に「ＨＯＴ」の赤色温表示を行う場合の表示動作を示している。図５に示すように、偏光板１２に入射した白色の照明光は、第１偏光軸方向（Ｙ軸方向）に偏光されて透過型液晶パネル１３に入力される。透過型液晶パネル１３には電圧が印加されているので、入射された白色の偏光光を回転せずに、そのまますべてカラー偏光部１４に出力する。
【００３８】
透過型液晶パネル１３から出力された、第１偏光軸方向の白色の偏光光は、第１カラー偏光板３１に入射する。第１抜き孔３１ａは、そのまま第１偏光軸方向の白色の偏光光を透過させ、第１抜き孔３１ａ以外の領域は偏光方向が直交するので、透過型液晶パネル１３から出力された光のうちの、赤色の波長帯の光のみを透過する。
【００３９】
第２カラー偏光板３２では、第２抜き孔３２ａの領域および第２抜き孔３２ａ以外の領域のどちらも、第１偏光軸方向の偏光光を透過する。
【００４０】
したがって、カラー表示領域Ｅ１である第２カラー偏光板３２には、赤色に「ＨＯＴ」の白抜き文字が入ったカラー画像が表示出力される。
【００４１】
なお、上述した第１カラー偏光板３１と第２カラー偏光板３２との配置位置は、逆であってもよい。
【００４２】
［モノクロ表示領域Ｅ２における価格表示］
図６は、モノクロ用表面透明電極２５の各透明電極セルと裏面透明電極２３との間での電圧印加有無によってモノクロ表示領域Ｅ２に価格のドットマトリックス表示を行う場合の表示動作を示している。図６に示すように、偏光板１２に入射した白色の照明光は、第１偏光軸方向（Ｙ軸方向）に偏光されて透過型液晶パネル１３に入力される。
【００４３】
透過型液晶パネル１３のモノクロ用表面透明電極２５は、上述したようにドットマトリックス状の透明電極セルで構成されている。透明電極セルに電圧が印加されたオン状態（□）では、第１偏光軸方向の白色の偏光光は、そのまますべてモノクロ表示偏光板１５に出力する。一方、透明電極セルでの電圧がオフ状態（■）では、第１偏光軸方向の白色の偏光光は、９０度回転して第２偏光軸方向（Ｘ軸方向）の白色の偏光光となってモノクロ表示偏光板１５に出力する。
【００４４】
モノクロ表示偏光板１５は、第２偏光軸方向の光のみを透過する。したがって、モノクロ表示偏光板１５は、電圧がオフ状態（■）の透明電極セルに対応する部分を透過し、電圧がオン状態（□）の透明電極セルに対応する部分の光は透過しない。
【００４５】
この結果、モノクロ表示領域Ｅ２であるモノクロ表示偏光板１５には、電圧がオフ状態（■）の透明電極セルに対応する部分が白色となり、電圧がオン状態（□）の透明電極セルに対応する部分が黒色になる。これにより、例えば、白色の下地に黒色の「￥１３０」を表示したい場合には、「￥１３０」部分の透明電極セルの電圧をオン状態（□）に設定すればよい。
【００４６】
（カラー偏光部の着脱）
図７に示すように、カラー偏光部１４を一体として構成しておき、カラー偏光部１４を透過型液晶パネル１３に対して着脱可能とすることが好ましい。したがって、カラー偏光部１４と透過型液晶パネル１３との間を接着する接着剤は、通常の工具を用いて取り外しが可能な程度の接着力をもつものが好ましい。また、この接着剤は、特殊な溶剤や光によって融けるようなものであってもよい。
【００４７】
特に、カラー偏光部１４は、温表示と冷表示とが対として取り付けられているため、例えば、英語圏では、「ＨＯＴ」と「ＣＯＬＤ」の温冷表示をもつカラー偏光部１４を透過型液晶パネル１３に取り付け、日本語圏では、「あったか〜い」と「つめた〜い」の温冷表示をもつカラー偏光部１４を透過型液晶パネル１３に取り付ければよい。その後の自動販売機１の運用では、透過型液晶パネル１３への電圧印加によって温冷表示を切り替えればよい。
【００４８】
上述したように、本実施の形態では、「ＨＯＴ」白抜きの赤色温表示及び「ＣＯＬＤ」白抜きの青色冷表示の切替表示は、透過型液晶パネル１３の透明電極に対する電圧のオフ、オンによって同一のカラー表示領域で行うことができる。
【００４９】
この場合、「ＨＯＴ」白抜きの赤色温表示は、実質的に第１カラー偏光板３１によって実現でき、「ＣＯＬＤ」白抜きの青色冷表示は、実質的に第２カラー偏光板３２によって実現できる。本実施の形態では、２つの透明板を用いることなく、１つの透明板３０の表裏に第１カラー偏光板３１と第２カラー偏光板とを接着するのみでよいため、少ない部品点数でカラー偏光部１４が実現される。
【００５０】
また、第１カラー偏光板３１と第２カラー偏光板３２とは、それぞれ、白抜き文字に対応する領域を型抜き加工によって第１抜き孔３１ａと第２抜き孔３２ａとを形成しているため、製作が容易である。
【符号の説明】
【００５１】
１  自動販売機
１ａ  本体キャビネット
１ｂ  外扉
２  ポップアップハンドル
３  展示室
４  電照板
５  ステージ
６  商品選択ボタン
７ａ  硬貨投入口
７ｂ  紙幣挿入口
７ｃ  表示部
７ｄ  返却レバー
７ｅ  電子マネーリーダライタ
７ｆ  硬貨返却口
７ｇ  取出口
１０  表示装置
１１  光源
１１ａ  発光素子
１２  偏光板
１３  透過型液晶パネル
１４  カラー偏光部
１５  モノクロ表示偏光板
２０  ＴＮ液晶
２１  下部液晶用ガラス板
２２  上部液晶用ガラス板
２３  裏面透明電極
２４  カラー用表面透明電極
２５  モノクロ用表面透明電極
３０  透明板
３１  第１カラー偏光板
３１ａ  第１抜き孔
３２  第２カラー偏光板
３２ａ  第２抜き孔
Ｄ  商品見本
Ｅ１  カラー表示領域
Ｅ２  モノクロ表示領域
【図１】
2016139049.tif 000003
【図２】
2016139049.tif 000004
【図３】
2016139049.tif 000005
【図４】
2016139049.tif 000006
【図５】
2016139049.tif 000007
【図６】
2016139049.tif 000008
【図７】
2016139049.tif 000009